(57)【要約】  染色された材料からの色落ちに対処する方法であって、前記材料を、ポリカルボン酸由来のキレート剤を含む組成物と接触させるステップを含む方法。【特許請求の範囲】
【請求項１】
染色された材料からの色落ちに対処する方法であって、前記材料を、ポリカルボン酸由来のキレート剤を含む組成物と接触させるステップを含む、前記方法。
【請求項２】
材料がケラチン材料である、請求項１に記載の方法。
【請求項３】
材料が人毛又は獣毛、好ましくは人毛である、請求項１又は２に記載の方法。
【請求項４】
材料が成長する人毛又は獣毛、好ましくは成長する人毛である、請求項３に記載の方法。
【請求項５】
染色されている材料に対して実施される、請求項１〜４のいずれかに記載の方法。
【請求項６】
毛と接触させる組成物が、２又は３以上のポリカルボン酸由来のキレート剤を含む、請求項１〜５のいずれかに記載の方法。
【請求項７】
ポリカルボン酸由来のキレート剤を含む組成物が、シャンプー組成物、コンディショニング用組成物、ヘアスタイリング用組成物、ウェーブパーマ用組成物、縮毛矯正用組成物、ストレートパーマ用組成物、又はヘアカラー用組成物から選択される、請求項１〜６のいずれかに記載の方法。
【請求項８】
ポリカルボン酸由来のキレート剤を含む組成物が、１〜３０ｗｔ％の１又は２以上の界面活性剤をさらに含む、請求項１〜７のいずれかに記載の方法又は組成物。
【請求項９】
毛を着色する方法であって、
（ａ）前記毛を、着色用組成物と接触させるステップと、
（ｂ）前記毛を、ポリカルボン酸由来のキレート剤を含む組成物と接触させるステップと
を含む、前記方法。
【請求項１０】
ステップ（ｂ）がステップ（ａ）の後に実施される、請求項８に記載の方法。
【請求項１１】
キレート剤が、グルタミン酸Ｎ，Ｎ−二酢酸（ＧＬＤＡ）、ジエチレントリアミン五酢酸（ＤＴＰＡ）、イミド二コハク酸（ＩＤＳ）、Ｌ−アスパラギン酸二酢酸（ＡＳＤＡ）、エチレンジアミン四酢酸（ＥＤＴＡ）、エチレンジアミン二コハク酸（ＥＤＤＳ）、ヒドロキシエチルエチレンジアミン三酢酸（ＨＥＤＴＡ）、クエン酸、及びこれらの混合物から選択される、請求項１〜１０のいずれかに記載の方法又は組成物。
【請求項１２】
キレート剤が、ＧＬＤＡ、ＤＴＰＡ、ＩＤＳ、及びこれらの混合物から選択される、請求項１〜１１のいずれかに記載の方法。
【請求項１３】
キレート剤が、ＧＬＤＡ、ＤＴＰＡ、及びこれらの混合物から選択される、請求項１〜１２のいずれかに記載の方法又は組成物。
【請求項１４】
ポリカルボン酸由来のキレート剤を含む組成物が、アルファ置換アルデヒド及び／又はヒドロキシアルデヒドであるアルデヒドをさらに含む、請求項１〜１３のいずれかに記載の方法又は組成物。
【請求項１５】
ポリカルボン酸由来のキレート剤を含む組成物が、スクシンイミジルエステルをさらに含む、請求項１〜１４のいずれかに記載の方法又は組成物。
【請求項１６】
ポリカルボン酸由来のキレート剤を含む組成物が、カルボン酸のアミン塩をさらに含む、請求項１〜１５のいずれかに記載の方法又は組成物。
【請求項１７】
ポリカルボン酸由来のキレート剤を含む組成物が、２又は３以上のマレイン酸由来反応性部分と、２又は３以上のアミノ基を有するリンカーとを含む架橋剤をさらに含む、請求項１〜１６のいずれかに記載の方法又は組成物。
【請求項１８】
ステップ（ａ）と（ｂ）が同時に実施され、方法が、毛を、ポリカルボン酸由来のキレート剤を含む着色用組成物と接触させるステップを含む、請求項９〜１６のいずれかに記載の方法。
【請求項１９】
ステップ（ｂ）がステップ（ａ）の前に実施される、請求項９〜１６のいずれかに記載の方法。
【請求項２０】
ステップ（ｂ）がステップ（ａ）の後に実施される、請求項９〜１６のいずれかに記載の方法。
【請求項２１】
キレート剤を含まない等価な方法によって処理された毛に比べて色が目に見えてより鮮烈になるほど、１〜３回の洗浄後の色落ちが有意に軽減される、請求項１〜２０のいずれかに記載の方法。
【請求項２２】
キレート剤を含まない等価な方法によって処理された毛に比べて３回の洗浄後の色落ちが少なくとも１０％軽減される、請求項１〜２１のいずれかに記載の方法。
【請求項２３】
染色された毛からの色落ちに対処するための、ポリカルボン酸由来のキレート剤の使用。
【請求項２４】
染色された毛からの色落ちに対処するための、２又は３以上のポリカルボン酸由来のキレート剤の、請求項２２に記載の使用。
【請求項２５】
色落ちを少なくとも２０％軽減する、請求項１〜２４のいずれかに記載の方法又は使用。
【請求項２６】
１又は２以上の組成物を含み、前記１又は２以上の組成物が、少なくとも１種の染料化合物及び／又は染料前駆体化合物と、ポリカルボン酸キレート剤とを合わせて含む、包装されたヘアカラー用製品。
【請求項２７】
染色された材料が編織布材料、好ましくは、羊毛を含む編織布材料である、請求項１に記載の方法。
【請求項２８】
染色された編織布材料を洗濯物洗浄工程において洗浄する結果として起こる色落ちに対処する、請求項１又は３０に記載の方法。
【発明の詳細な説明】
【技術分野】
【０００１】
本発明は、染色された材料を処理する方法、そのような方法において使用する組成物、及びそれに関連した使用に関する。詳細には、本発明は、染色されたケラチン材料、特に、毛を処理する方法に関する。本方法は、染色された材料、特に、染色された毛からの色落ちを軽減、抑制、又は防止するのに特に有用である。
【背景技術】
【０００２】
材料、特に、毛及び他のケラチン材料を染色する手順は、何年も前から存在している。しかし、染色された材料は、染色後、色の強度及び鮮やかさを損なう。この色落ちの１つの原因は、染料を溶解／可溶化し、材料からの拡散を引き起こしうる水又は他の溶媒と接触するとき、材料から染料分子が浸出されることにあると考えられている。すなわち、この色落ちは、材料の洗浄（若しくは毛の場合ではシャンプー洗浄）などの工程の間、又は、材料が、材料から染料を浸出させうる水若しくは他の溶媒と接触する他の工程の間に起こりうる。小さい染料分子の場合では、こうした分子が、より大きい染料分子より動きやすく、したがってより速い速度で材料から浸出されうるため、問題がより顕著である。結果として、材料の洗浄が繰り返されると、時間と共に色落ちにつながる場合がある。これにより、例えば、洗浄の間に、材料の着色に使用される混合物中に存在する１又は２以上の染料化合物が他の化合物より著しく材料から浸出される、色ずれが引き起こされる場合もある。
【０００３】
編織布材料及び布地については、手洗い工程又は自動洗濯機において材料を洗浄する際に、色落ちが起こりうる。
【０００４】
色落ちを防止又は抑制することのできる有効な一手段は、ホルムアルデヒドでの処理によるものである。しかし、ホルムアルデヒドは、発癌性が疑われる物質であり、したがって、化粧品組成物へのその使用は、厳しく規制されており、非常に望ましくない。毛からの色落ちに対処するための代替手段を提供する試みは、数多く存在している。しかし、今日まで、それらの中に、完全に申し分のないものは存在せず、したがって、さらに改良された戦略を開発することが求められている。
【発明の概要】
【発明が解決しようとする課題】
【０００５】
本発明の目的は、染色された材料からの色落ちを軽減、抑制、又は防止する手段を提供することである。
【課題を解決するための手段】
【０００６】
本発明の第１の態様によれば、染色された材料からの色落ちに対処する方法であって、材料を、ポリカルボン酸由来のキレート剤を含む組成物と接触させるステップを含む方法が提供される。
【０００７】
本発明は、染色された材料からの色落ちに対処する方法に関する。本方法は、染色されている材料を処理するものである場合もあり、及び／又は染色されようとしている材料を処理するものである場合もあり、及び／又は染色工程の一部として材料を処理するものである場合もある。本方法は、いずれかの手段によって染色されている／染色されようとしているいかなる材料を処理するのに使用してもよい。
【０００８】
好ましくは、方法は、染色されている材料からの色落ちに対処する方法である。
【０００９】
このような実施形態では、方法は、染色工程の一部でないことが適切である。むしろ、方法は、染色工程後及び染色工程よりかなり後のいずれかの時期に実施される場合のある、別個の無関係な工程である。
【００１０】
一部の好ましい実施形態では、本発明の方法は、材料が染色されてから少なくとも１２時間後、好ましくは少なくとも２４時間後に実施される。
【００１１】
一部の実施形態では、染色された編織布材料からの色落ちに対処するために、本発明の方法を使用することができる。そのような実施形態において、染色された編織布材料は、羊毛を含むことが適切であり、羊毛をその大部分として含むことが好ましい。
【００１２】
好ましい実施形態では、材料は、ケラチン材料である。材料は、ケラチン繊維を含むことがより好ましい。材料は、毛であることが好ましい。毛は、人毛又は獣毛である場合がある。特に好ましい実施形態では、本発明の方法は、人毛を処理する方法である。方法は、頭部において成長している人毛を処理する方法であることが最も好ましい。
【００１３】
しかし、本発明の方法は、かつらや獣毛、例えば羊毛などの、もう成長していない（すなわち、取り除かれている）毛からの色落ちに対処するのにも使用できると理解される。
【００１４】
特に好ましい実施形態では、本発明は、染色された毛を処理して色落ちに対処する方法に関する。本方法は、いかなる手段によって染色されている毛からの色落ちへの対処にも使用することができる。例えば、本発明は、直接染料を使用して染色されている毛からの色落ちに対処するのに使用される場合がある。毛のための直接染料として分類されている化合物の種類は、当業者に公知であり、ニトロフェニレンジアミン化合物（例えば、２−ニトロ−ｏ−フェニレンジアミン、ＨＣイエロー１０、ＨＣレッド１４、Ｎ，Ｎ’−ビス−（２−ヒドロキシエチル）−２−ニトロ−ｐ−フェニレンジアミン、ＨＣバイオレット２及びＨＣブルー２）、ニトロアミノフェノール化合物（例えば、ＨＣイエロー４、２−アミノ−３−ニトロフェノール、ＨＣオレンジ３、４−ヒドロキシプロピルアミノ−３−ニトロフェノール及び３−ニトロ−ｐ−ヒドロキシエチルアミノフェノール）、及びアントラキノン化合物（例えば、ディスパースレッド１１、ディスパースバイオレット４、ディスパースブルー３及びＨＣブルー１４）がある。しかし、本発明の方法は、酸化染料を使用して染色されている毛からの色落ちの防止において、特に有効である。
【００１５】
毛の酸化染色は、毛の永久的、半永久的（semi-permanent）、又は半永久的（demi-permanent）な着色に一般に使用される。酸化染色は、その場で酸化されて活性染料分子を生じる、小さい置換芳香族化合物（例えば、（中間体として知られる）フェノール、ナフトール、フェニレンジアミン、及びアミノフェノール）で毛を処理するものである。この種の毛の着色方法は、当業者の非常によく知るところとなる。
【００１６】
本発明の方法は、染色された材料、好ましくは毛を、ポリカルボン酸由来のキレート剤を含む組成物と接触させるステップを含む。
【００１７】
本発明の第１の態様の方法は、毛などの材料を染色する方法ではない。むしろ、染色された材料を処理する方法である。
【００１８】
第１の態様の方法の好ましい実施形態では、本発明は、すでに染色されている毛、好ましくは、２４時間前より前に染色された毛からの色落ちに対処する方法に関する。
【００１９】
一部の実施形態では、本方法は、材料の染色前、染色中、又は染色直後のいずれかの時期に、染色工程の一部として実施される場合がある。
【００２０】
第１の態様の方法が毛の染色前、染色中、又は染色直後のいずれかの時期に実施される実施形態において、本発明は、改良された毛の着色方法をさらに提供する場合がある。染色直前又は直後とは、好ましくは２時間以内、より好ましくは１時間以内、適切な例では３０分以内を意味する。
【００２１】
本発明の第２の態様によれば、毛を着色する方法であって、
（ａ）毛を、着色用組成物と接触させるステップと、
（ｂ）毛を、ポリカルボン酸由来のキレート剤を含む組成物と接触させるステップと
を含む方法が提供される。
【００２２】
本発明は、着色用組成物を使用して毛を着色する方法に関する。本明細書では、これを、染色用組成物を使用して毛を染色する方法と呼ぶ場合もある。
【００２３】
第２の態様の方法は、毛を着色する方法である。これは、人毛を着色する、又は羊毛を含む獣毛を着色することを含むということである。第２の態様の方法は、人毛を着色する方法であることが好ましい。頭部において成長している人毛を着色する方法であることがより好ましい。
【００２４】
ステップ（ａ）と（ｂ）は、いずれかの順序で別々に実施してもよいし、又は同時に実施してもよい。
【００２５】
一部の実施形態では、ステップ（ｂ）がステップ（ａ）の前に実施され、したがって、方法は、染色する前に、ポリカルボン酸由来のキレート剤を含む組成物で毛を予め処理するステップを含む。
【００２６】
一部の実施形態では、ステップ（ａ）と（ｂ）は、同時に実施される場合もあり、方法は、毛を、ポリカルボン酸由来のキレート剤を含む着色用組成物と接触させるステップを含む。
【００２７】
一部の好ましい実施形態では、ステップ（ｂ）がステップ（ａ）の後に実施される。ステップ（ａ）とステップ（ｂ）の間に毛をすすぎ、任意選択で乾燥させることが適切である。
【００２８】
ステップ（ａ）は、毛をいかなる適切な着色用組成物と接触させるものでもよい。そのような組成物は、当業者に公知である。
【００２９】
一部の好ましい実施形態では、ステップ（ａ）は、染料前駆体化合物及び酸化用組成物（顕色剤）を酸化染色法で適用することにより、毛の中においてその場で着色用組成物を形成するステップを含んでもよい。
【００３０】
一部の実施形態では、ステップ（ａ）は、毛を、１又は２以上の直接染料を含む着色用組成物と接触させるステップを含んでもよい。
【００３１】
一部の実施形態では、本発明の第１の態様の方法は、染色工程の一部として実施されず、毛と接触させる組成物は、シャンプー組成物、コンディショニング用組成物、ヘアスタイリング用組成物、ウェーブパーマ用組成物、ストレートパーマ用組成物、縮毛矯正用（hair relaxing）組成物、又は後続ヘアカラー用／染毛用組成物の形態になる場合がある。
【００３２】
いくつもの機能を果たす組成物、例えば、シャンプー及びコンディショニング用複合型組成物も、本発明の範囲内にある。
【００３３】
本発明の第１及び第２の態様は、ポリカルボン酸由来のキレート剤を含む組成物の使用を含む。
【００３４】
ここで、この組成物の好ましい特色について記載する。いかなる特色も、必要に応じて、第１及び／又は第２の態様並びに他のいずれかの態様に当てはまる場合がある。
【００３５】
本発明において使用する組成物は、キレート剤を含む。一部の好ましい実施形態では、キレート剤は、グルタミン酸Ｎ，Ｎ−二酢酸（ＧＬＤＡ）、ジエチレントリアミン五酢酸（ＤＴＰＡ）、イミド二コハク酸（ＩＤＳ）、Ｌ−アスパラギン酸二酢酸（ＡＳＤＡ）、エチレンジアミン四酢酸（ＥＤＴＡ）、エチレンジアミン二コハク酸（ＥＤＤＳ）、ヒドロキシエチルエチレンジアミン三酢酸（ＨＥＤＴＡ）、クエン酸、及びこれらの混合物から選択される。
【００３６】
本発明において使用するキレート剤は、ポリカルボン酸の誘導体である。これは、キレート剤が、２又は３以上のカルボン酸部分又はその塩を含むことを意味する。本明細書における使用に適するキレート剤は、３、４、又は５つのカルボン酸部分を含んでもよい。
【００３７】
グルタミン酸Ｎ，Ｎ−二酢酸（ＧＬＤＡ）は、図１に示す構造を有する。
【００３８】
【化１】
2019536915.tif 000002
【００３９】
本発明の組成物には、図１に示す構造、及び／又はいくつかの酸性プロトンが置き換えられている、すなわち、１、２、３、若しくは４つの酸基が中和されている、若しくは部分的に中和されている同じ構造を有するＧＬＤＡが存在する場合がある。ＧＬＤＡは、遊離酸又はその塩若しくは錯体として存在する場合がある。
【００４０】
ＧＬＤＡは、鏡像異性体又はその混合物として存在する場合もある。少なくとも５０％、好ましくは少なくとも７０％、より好ましくは少なくとも９０％、最も好ましくは少なくとも９５ｗｔ％、例えば約９８ｗｔ％が［Ｓ］−ＧＬＤＡとして存在することが好ましい。一部の好ましい実施形態では、ＧＬＤＡは、本質的にＳ鏡像異性体からなる。
【００４１】
ＧＬＤＡは、３８ｗｔ％の四ナトリウム塩を含む溶液として市販品が入手可能であり、Dissolvine GL-38の商標で販売されている。
【００４２】
ジエチレントリアミン五酢酸（ＤＴＰＡ）は、図２に示す構造を有する。
【００４３】
【化２】
2019536915.tif 000003
【００４４】
成分（ｂ）がＤＴＰＡを含むとき、ＤＴＰＡは、図２に示す構造を有する形態、又はいくつかの水素原子が置き換えられている同じ構造を有する形態で提供される場合がある。すなわち、成分（ｂ）は、１、２、３、４、又は５つの酸基が中和されている、又は部分的に中和されている塩を含んでもよい。
【００４５】
ＤＴＰＡの塩が含まれるとき、その塩は、アルカリ金属、アルカリ土類金属、アンモニア、又は適切なアミンの塩である場合がある。
【００４６】
一価の対イオンが使用されるとき、塩は、単塩、二塩、三塩、四塩、又は五塩である場合がある。二価カチオンについては、単塩又は二塩が存在する場合がある。混合塩が存在する場合もあり、例えば、二ナトリウムマグネシウム塩やナトリウムマグネシウム塩が存在する場合がある。ＤＴＰＡ残基に対する対イオンは、ナトリウム、マグネシウム、カルシウム、カリウム、リチウム、アンモニウム、及び第四級アンモニウムイオンの１又は２以上から選択されることが好ましい。
【００４７】
ＤＴＰＡは、存在するとき、五ナトリウム塩として含まれていることが好ましい。
【００４８】
イミド二コハク酸（ＩＤＳ）は、図３に示す構造を有する。
【００４９】
【化３】
2019536915.tif 000004
【００５０】
本発明の組成物には、図３に示す構造、及び／又はいくつかの酸性プロトンが置き換えられている、すなわち、１、２、３、若しくは４つの酸基が中和されている、若しくは部分的に中和されている同じ構造を有するＩＤＳが存在する場合がある。ＩＤＳは、遊離酸又はその塩若しくは錯体として存在する場合がある。
【００５１】
ＩＤＳ又はその塩は、鏡像異性体又はその混合物として存在する場合もある。ラセミ混合物として存在することが好ましい。
【００５２】
ＩＤＳは、３４ｗｔ％の四ナトリウム塩を含む溶液として市販品が入手可能であり、Baypure CX100の商標で販売されている。
【００５３】
ＡＳＤＡは、ＩＤＳの構造異性体であり、図４に示す構造を有する。
【００５４】
【化４】
2019536915.tif 000005
【００５５】
本発明の組成物には、図４に示す構造、及び／又はいくつかの酸性プロトンが置き換えられている、すなわち、１、２、３、若しくは４つの酸基が中和されている、若しくは部分的に中和されている同じ構造を有するＡＳＤＡが存在する場合がある。ＡＳＤＡは、遊離酸又はその塩若しくは錯体として存在する場合がある。
【００５６】
ＥＤＴＡは、図５に示す構造を有する。
【００５７】
【化５】
2019536915.tif 000006
【００５８】
成分（ｂ）がＥＤＴＡを含むとき、ＥＤＴＡは、図５に示す構造を有する形態、又はいくつかの水素原子が置き換えられている同じ構造を有する形態で提供される場合がある。すなわち、成分（ｂ）は、１、２、３、又は４つの酸基が中和されている、又は部分的に中和されている塩を含んでもよい。
【００５９】
ＥＤＴＡの塩が含まれるとき、その塩は、アルカリ金属、アルカリ土類金属、アンモニア、又は適切なアミンの塩である場合がある。
【００６０】
一価の対イオンが使用されるとき、塩は、単塩、二塩、三塩、又は四塩である場合がある。二価カチオンについては、単塩又は二塩が存在する場合がある。混合塩が存在する場合もあり、例えば、二ナトリウムマグネシウム塩やナトリウムマグネシウム塩が存在する場合がある。ＥＤＴＡ残基に対する対イオンは、ナトリウム、マグネシウム、カルシウム、カリウム、リチウム、アンモニウム、及び第四級アンモニウムイオンの１又は２以上から選択されることが好ましい。
【００６１】
ＥＤＴＡは、存在するとき、四ナトリウム塩として存在することが好ましい。
【００６２】
エチレンジアミン二コハク酸（ＥＤＤＳ）は、図６に示す構造を有する。
【００６３】
【化６】
2019536915.tif 000007
【００６４】
ＥＤＤＳは、２つの立体中心（stereogenic centre）を含み、３種の立体異性体が考えられる。特に好ましい立体配置は、容易に生分解しうる［Ｓ，Ｓ］−エチレンジアミン二コハク酸である。
【００６５】
本発明の組成物には、図６に示す構造、及び／又はいくつかの水素原子が置き換えられている同じ構造を有する「ＥＤＤＳ」が存在する場合がある。すなわち、ＥＤＤＳは、１、２、３、又は４つの酸基が中和されている、又は部分的に中和されているコハク酸塩を含む場合もある。ＥＤＤＳは、遊離酸又はその塩若しくは錯体として存在する場合がある。
【００６６】
市販品として入手可能な一材料は、エチレンジアミン二コハク酸三ナトリウムである。市販用製品（Natrlquest E30（ＲＴＭ））は、（遊離酸として表示される）３０重量％のＥＤＤＳ、又は（対イオンを含む）３７ｗｔ％の三ナトリウム塩を含む水溶液として供給されている。
【００６７】
市販品として入手可能な別の形態のＥＤＤＳは、Natrlquest E80の商標で販売されているテトラ酸である。これは、酸としての８０ｗｔ％の固体［Ｓ，Ｓ］ＥＤＤＳと結晶水とを含有する粉末として提供されている。
【００６８】
（ＨＥＥＤＴＡ又はＨＥＤＴＡとして知られる）ヒドロキシエチルエチレンジアミン三酢酸は、図７に示す構造を有する。
【００６９】
【化７】
2019536915.tif 000008
【００７０】
本発明の組成物には、図７に示す構造、及び／又はいくつかの酸性プロトンが置き換えられている、すなわち、１、２、若しくは３つの酸基が中和されている、若しくは部分的に中和されている同じ構造を有するＨＥＤＴＡが存在する場合がある。ＨＥＤＴＡは、遊離酸又はその塩若しくは錯体として存在する場合がある。
【００７１】
ＨＥＤＴＡは、三ナトリウム塩として、Akzo Nobel社から、Dissolvine H40の商標で市販品が入手可能である。
【００７２】
クエン酸は、遊離酸として、又はアルカリ金属若しくはアンモニウム塩として含まれる場合がある。
【００７３】
一部の好ましい実施形態では、キレート剤は、ＤＴＰＡ、ＧＬＤＡ、ＩＤＳ、及びこれらの混合物から選択される。
【００７４】
一部の特に好ましい一部の実施形態では、キレート剤は、ＤＴＰＡ、ＧＬＤＡ、及びこれらの混合物から選択される。
【００７５】
キレート剤がＤＴＰＡを含む実施形態では、第１の態様の方法は、前もって染色されている材料に対して実施することが好ましい。
【００７６】
第２の態様の方法においてキレート剤がＤＴＰＡを含むとき、ステップ（ｂ）をステップ（ａ）の後に実施することが好ましい。
【００７７】
一部の実施形態では、組成物は、ポリカルボン酸由来のキレート剤を、少なくとも０．１ｗｔ％、適切な例では少なくとも１ｗｔ％、好ましくは少なくとも３ｗｔ％、例えば、少なくとも５ｗｔ％、少なくとも６ｗｔ％、少なくとも７ｗｔ％、又は少なくとも８ｗｔ％の量で含む。
【００７８】
組成物は、ポリカルボン酸由来のキレート剤を、１００ｗｔ％まで、適切な例では５０ｗｔ％まで、好ましくは４０ｗｔ％まで、適切な例では３０ｗｔ％まで、例えば、２０ｗｔ％まで、１５ｗｔ％まで、又は１２ｗｔ％までの量で含んでもよい。
【００７９】
一部の実施形態では、組成物は、カルボン酸由来のキレート剤を、０．１〜１５ｗｔ％、適切な例では０．２５〜１０ｗｔ％、好ましくは０．５〜５ｗｔ％、例えば１〜３ｗｔ％の量で含んでもよい。
【００８０】
組成物は、ポリカルボン酸由来のキレート剤の混合物を含んでもよい。そのような実施形態において、上記量は、組成物中に存在するそうしたすべてのキレート剤の総量を指す。
【００８１】
一部の実施形態では、組成物は、ＧＬＤＡを含む。一部の実施形態では、組成物は、ＤＴＰＡを含む。一部の実施形態では、組成物は、ＧＬＤＡとＤＴＰＡの混合物を含む。このような実施形態において、ＧＬＤＡ対ＤＴＰＡの比は、好ましくは１：１０〜１０：１、好ましくは１：５〜５：１、例えば１：２〜２：１である。
【００８２】
本発明において使用する組成物は、いかなる適切な形態で提供されてもよい。本発明の組成物は、ゲル、ペースト、クリーム、又はワックスの形態になる場合がある。本発明の組成物は、液体組成物の形態になる場合もある。そのような組成物は、溶液、分散液、又は乳濁液の形態になる場合がある。本発明の組成物は、固体組成物として、例えば、粉末又はバーとして提供される場合もある。一部の実施形態では、使用前に希釈される濃縮組成物が提供される場合もある。一部の実施形態では、組成物が、材料と接触させる前に１又は２以上のさらなる組成物と混合される前駆体組成物の一部となる場合がある。
【００８３】
組成物の形態及び性質は、意図されたその用途に応じて決まる。
【００８４】
一部の実施形態では、組成物は、洗濯用洗剤組成物である。そのような実施形態では、組成物は、ビルダー、界面活性剤、キレート剤、漂白剤、蛍光増白剤、酵素、香料、及び洗濯用洗剤組成物中に一般に見出される他の成分から選択される１又は２以上のさらなる原材料を適切に含む。組成物は、手洗い洗濯用洗剤組成物又は自動洗濯機洗濯用洗剤組成物である場合がある。
【００８５】
特に好ましい実施形態では、組成物は、ヘアケア組成物である。
【００８６】
組成物は、１又は２以上の希釈剤又は担体を含むのが適切である。好ましい希釈剤及び担体は、化粧品用に認可されている化合物であり、その適切な例は、当業者に公知である。適切な担体の例としては、有機溶媒（例えば、炭化水素溶媒（例えば、イソドデカン）、アルコール（例えば、エタノール、プロパノール、ブタノール）、炭酸プロピレン、ベンジルアルコール、脂肪族又は芳香族エステル（例えば、植物油、ミリスチン酸イソプロピル、安息香酸Ｃ１２−１５アルキル）、ペルフルオロカーボン溶媒、及びシリコーン油が挙げられる。
【００８７】
一部の実施形態では、組成物は、水性組成物である。水が、組成物中に存在する主要な溶媒であるのが適切である。一部の実施形態では、組成物中に存在する全組成物の少なくとも５０ｗｔ％、好ましくは少なくとも６０ｗｔ％、より好ましくは少なくとも７０ｗｔ％、適切な例では少なくとも８０ｗｔ％、例えば少なくとも９０ｗｔ％又は少なくとも９５ｗｔ％を水がまかなう。一部の実施形態では、水と混和性の１又は２以上のさらなる溶媒が存在する場合もある。水と混和性の適切な溶媒の例としては、一価及び多価アルコール、例えば、エタノール、グリセロール、及びイソプロパノールが挙げられる。
【００８８】
一部の実施形態では、本発明において使用する組成物は、水性でなく、主要な希釈剤又は担体が親油性材料である。このような実施形態では、組成物は、１又は２以上の高級脂肪アルコール、鉱油、及び／又は植物油を主要な溶媒として含んでもよい。
【００８９】
一部の実施形態では、組成物は、実質的に水性であるが、キレート剤は、これが可溶性になる親油性相内に分散されている。
【００９０】
一部の実施形態では、組成物は、本質的に、１又は２以上のポリカルボン酸由来のキレート剤と、１又は２以上の希釈剤又は担体とからなる場合がある。好ましい実施形態では、組成物は、１又は２以上のさらなる成分を含む。適切な成分は、身の回りケア用組成物に通常使用されるものであり、当業者に知られている。
【００９１】
上で詳述したとおり、本発明において使用する組成物は、意図されたその用途に応じて、異なる成分を含んでもよい。一部の実施形態では、組成物は、毛を乾燥させた後直ちに使用される場合がある。別法として、組成物は、ヘアトリートメント組成物として１又は２回以上使用される場合もある。一部の実施形態では、組成物は、色落ち防止用組成物として提供される場合がある。別法として、組成物は、シャンプー、コンディショナー、又はヘアスタイリング用製品、例えば、セラム、ワックス、ムース、ゲル、若しくはスプレーの形態、又は全般的なヘアケア利益を得るのに使用されうる他のいずれかのヘアトリートメント形態になる場合がある。いくつもの機能を果たす組成物、例えば、シャンプー及びコンディショニング用複合型組成物も、本発明の範囲内にある。
【００９２】
組成物は、界面活性剤（アニオン、両性、非イオン、及びカチオン界面活性剤を含む）、コンディショニング剤（第四級アンモニウム化合物、カチオン性ポリマー、シリコーン、合成又は天然の油又は樹脂などを含む）、脂肪アルコール、電解質又は他のレオロジー改質剤、乳白剤／真珠光沢剤（pearlising agent）、頭皮ケア剤（scalp benefit agent）、香料、染料、ＵＶ防止剤（UV filter）、浸透性改善剤（例えば、炭酸プロピレン、ベンジルアルコールなど）、保存剤、酸化防止剤、乳化剤、ｐＨ調製剤及び緩衝剤、並びにスタイリング用ポリマー（例えば、ポリビニルピロリドンなど）から選択される１又は２以上の追加成分を含むのが適切である。
【００９３】
一部の実施形態では、組成物は、ｐＨ調製剤を含む。
【００９４】
本明細書における使用に適するｐＨ調製剤には、乳酸、水酸化ナトリウム、リン酸ナトリウム、及びこれらの塩及び緩衝液が含まれうる。
【００９５】
組成物のｐＨは、意図されたその用途次第となる。一部の実施形態では、組成物は、３〜９の間、好ましくは３．５〜８の間、より好ましくは４〜７の間、好ましくは４〜６の間のｐＨを有する。一部の実施形態では、組成物は、８〜１３の間のｐＨを有する。
【００９６】
一部の好ましい実施形態では、組成物は、ヘアケア組成物である。適切なヘアケア組成物には、シャンプー組成物、コンディショニング用組成物、ヘアスタイリング用組成物、ウェーブパーマ用、縮毛矯正用、若しくはストレートパーマ用組成物、又はヘアカラー用組成物が含まれる。
【００９７】
ヘアケア組成物中に使用するのに適するさらなる原材料及びその量は、当業者に公知である。成分の相対比率及びこのような組成物の製剤については、当業者の技量の範囲内となる。
【００９８】
第１の態様の方法において使用する組成物は、すでに染色されている毛を処理するのに適する。好ましい組成物は、１ｗｔ％未満、好ましくは０．１ｗｔ％未満、より好ましくは０．０１ｗｔ％未満しか酸化剤を含まない。組成物は、酸化剤を実質的に含まないことが最も好ましい。
【００９９】
好ましい組成物は、１ｗｔ％未満、好ましくは０．１ｗｔ％未満、より好ましくは０．０１ｗｔ％未満しか過酸化物化合物を含まない。組成物は、過酸化物化合物を実質的に含まないことが最も好ましい。
【０１００】
好ましい組成物は、１ｗｔ％未満、好ましくは０．１ｗｔ％未満、より好ましくは０．０１ｗｔ％未満しか過酸化水素を含まない。組成物は、過酸化水素を実質的に含まないことが最も好ましい。
【０１０１】
組成物は、適切な例では少なくとも５０ｗｔ％、好ましくは少なくとも６０ｗｔ％、より好ましくは少なくとも７０ｗｔ％の水を含む実質的に水性の組成物であるのが適切である。
【０１０２】
組成物は、１又は２以上の界面活性剤を含むのが適切である。例えば、組成物は、０．１〜６０ｗｔ％、好ましくは０．１〜３０ｗｔ％、適切な例では５〜２５ｗｔ％の界面活性剤を含んでもよい。
【０１０３】
組成物は、１又は２以上のアニオン界面活性剤を含むのが適切である。例えば、組成物は、０．１〜６０ｗｔ％、好ましくは０．１〜３０ｗｔ％、適切な例では５〜２５ｗｔ％のアニオン界面活性剤を含んでもよい。
【０１０４】
一部の実施形態では、組成物は、第四級アンモニウム塩を、適切な例では０．１〜２０ｗｔ％、好ましくは０．１〜１０ｗｔ％の量で含んでもよい。
【０１０５】
一部の実施形態では、組成物は、アルデヒドをさらに含む。適切なアルデヒドには、ヒドロキシ置換アルデヒド及びアルファ置換アルデヒドが含まれる。
【０１０６】
したがって、本発明は、ポリカルボン酸由来のキレート剤と、アルファ置換アルデヒド及び／又はヒドロキシアルデヒドであるアルデヒドとを含むヘアケア組成物を提供し得る。
【０１０７】
このような実施形態において、ポリカルボン酸由来のキレート剤は、０．１〜５０ｗｔ％、好ましくは０．１〜１０ｗｔ％、より好ましくは０．５〜５ｗｔ％の量で存在するのが適切であり、アルデヒドは、０．１〜５０ｗｔ％、好ましくは０．１〜１０ｗｔ％、より好ましくは０．５〜５ｗｔ％の量で存在するのが適切である。
【０１０８】
本明細書における使用に好ましい一部のアルデヒドは、３〜２０個の炭素原子、例えば、３〜１６個の炭素原子を有する。
【０１０９】
本明細書における使用に適するアルデヒドには、２−ヒドロキシデカナール、２−ヒドロキシドデカナール、２−ヒドロキシテトラデカナール、２−ヒドロキシヘキサナール、２−ヒドロキシオクタナール、２−ヒドロキシプロパナール、グリセルアルデヒド、２−ヒドロキシブタナール、３−ヒドロキシブタナール、４−ヒドロキシブタナール、ブロモマロンアルデヒド、２−（２−ヒドロキシエトキシ）アセトアルデヒド、２−クロロオクタナール、２−フルオロオクタナール、２−ブロモオクタナール、６−ヒドロキシヘキサナール、３−ヒドロキシプロパナール、及び４−ヒドロキシ−ブタ−２−エナールが含まれる。
【０１１０】
一部の実施形態では、組成物は、３〜９個の炭素原子、好ましくは３〜８個の炭素原子を有する第１のアルデヒドと、１０〜１８個の炭素原子、好ましくは１０〜１６個の炭素原子、より好ましくは１０〜１４個の炭素原子を有する第２のアルデヒドとを含んでもよい。
【０１１１】
特に好ましいアルデヒドは、α−ヒドロキシアルデヒドである。適切なアルデヒドには、２−ヒドロキシプロパナール、２−ヒドロキシヘキサナール、２−ヒドロキシオクタナール、及びグリセルアルデヒドが含まれる。
【０１１２】
一部の実施形態では、組成物は、スクシンイミジルエステルをさらに含む。この種の適切な化合物は、仏国特許第２９３７５４３号明細書に記載されている
【０１１３】
したがって、本発明は、ポリカルボン酸由来のキレート剤とスクシンイミジルエステルとを含むヘアケア組成物を提供し得る。
【０１１４】
このような実施形態において、ポリカルボン酸由来のキレート剤は、０．１〜５０ｗｔ％、好ましくは０．１〜１０ｗｔ％、より好ましくは０．５〜５ｗｔ％の量で存在するのが適切であり、スクシンイミジルエステルは、０．１〜５０ｗｔ％、好ましくは０．１〜１０ｗｔ％、より好ましくは０．５〜５ｗｔ％の量で存在するのが適切である。
【０１１５】
スクシンイミジルエステルは、式（Ｉ）の化合物であることが好ましい。
【０１１６】
【化８】
2019536915.tif 000009
(I)
【０１１７】
［式中、Ｒは、５〜３６個の炭素原子を有する置換されていてもよいヒドロカルビル基であり、Ｒ１は、水素又は可溶化基である。］
【０１１８】
Ｒは、５〜２０個の炭素原子を有する置換されていてもよいアルキル、アルケニル、又はアリール基であることが好ましい。Ｒは、フェニル及びＣＨ３（ＣＨ２）ｎ［式中、ｎは４〜１０である］から選択されることがより好ましい。
【０１１９】
Ｒ１は、水素又はスルホネート部分、好ましくは水素であるのが適切である。
【０１２０】
一部の実施形態では、組成物は、カルボン酸のアミン塩をさらに含む。この種の好ましい化合物は、４〜１０個の炭素原子を有するカルボン酸のアミン塩である。
【０１２１】
このような実施形態において、ポリカルボン酸由来のキレート剤は、０．１〜５０ｗｔ％、好ましくは０．１〜１０ｗｔ％、より好ましくは０．５〜５ｗｔ％の量で存在するのが適切であり、アミン塩は、０．１〜５０ｗｔ％、好ましくは０．１〜１０ｗｔ％、より好ましくは０．５〜５ｗｔ％の量で存在するのが適切である。
【０１２２】
したがって、本発明は、ポリカルボン酸由来のキレート剤と、カルボン酸のアミン塩とを含むヘアケア組成物を提供し得る。
【０１２３】
カルボン酸は、４〜１０個の炭素原子、好ましくは６〜８個の炭素原子を有するのが適切である。
【０１２４】
塩は、第二級若しくは第三級アルキルアミン及び／若しくはアルカノールアミン又は置換アルキレンジアミンの塩であることが好ましい。トリエタノールアミン及びジエタノールアミンが特に好ましい。
【０１２５】
塩は、ｎ−ヘキサン酸又はｎ−オクタン酸のトリエタノールアミン又はジエタノールアミン塩であることが最も好ましい。
【０１２６】
一部の実施形態では、組成物は、アルファ置換アルデヒド及び／又はヒドロキシアルデヒドであるアルデヒド、及びスクシンイミジルエステルをさらに含む。
【０１２７】
一部の実施形態では、組成物は、アルファ置換アルデヒド及び／又はヒドロキシアルデヒドであるアルデヒド、及びカルボン酸のアミン塩をさらに含む。
【０１２８】
一部の実施形態では、組成物は、スクシンイミジルエステル及びカルボン酸のアミン塩をさらに含む。
【０１２９】
一部の実施形態では、組成物は、アルファ置換アルデヒド又はヒドロキシアルデヒドであるアルデヒド、カルボン酸のアミン塩、及びスクシンイミジルエステルをさらに含む。
【０１３０】
一部の実施形態では、組成物は、２又は３以上の反応性部分とリンカーとを含む架橋剤をさらに含んでもよい。この種の化合物は、例えば、米国特許出願公開第２０１５／０３４１１７号明細書及び米国特許出願公開第２０１５／００３４１１９号明細書に記載されている。
【０１３１】
一部の実施形態では、反応性部分は、活性化カルボン酸又はスルホン酸誘導体であり、リンカーは、反応性部分と塩又は共有結合を形成しうるポリアミノ化合物である。
【０１３２】
一部の実施形態では、反応性部分は、マレイン酸又はその誘導体であり、リンカーは、アルキレン又はオキシアルキレン鎖によって連結された２又は３以上のアミノ基を有する。架橋剤は、マレイミド又はマレイン酸のアミン塩である場合がある。
【０１３３】
一部の実施形態では、反応性部分は、マレイン酸イオンであり、リンカーは、アルキレン又はオキシアルキレン鎖によって連結された第四級アンモニウムイオンを含む。
【０１３４】
好ましい一部の架橋剤は、次の構造を有する。
【０１３５】
【化９】
2019536915.tif 000010
【０１３６】
２又は３以上の反応性部分及びリンカーを含む架橋剤は、０．１〜３０ｗｔ％、好ましくは０．１〜１０ｗｔ％、適切な例では０．５〜５ｗｔ％の量で存在する場合がある。
【０１３７】
一部の実施形態では、本発明において使用する組成物は、シャンプー組成物である。
【０１３８】
本発明において使用する適切なシャンプー組成物は、通常、０．５〜６０ｗｔ％、好ましくは１〜５０ｗｔ％、より好ましくは５〜３０ｗｔ％、例えば８〜２０ｗｔ％又は８〜１２ｗｔ％の１又は２以上のアニオン界面活性剤と、任意選択で、０．１〜３０ｗｔ％、好ましくは１〜１５ｗｔ％、例えば２〜１２ｗｔ％の両性界面活性剤と、任意選択で、０．１〜４０ｗｔ％、好ましくは０．５〜３０ｗｔ％、例えば１〜１５ｗｔ％又は２〜１２ｗｔ％の非イオン界面活性剤とを含んでもよい。
【０１３９】
本発明において使用するシャンプー組成物は、アニオン界面活性剤（例えば、ラウレス硫酸ナトリウム、ラウロイルメチルイセチオン酸ナトリウム、ココイルメチルイセチオン酸ナトリウム、アルファオレフィンスルホン酸ナトリウム、ラウリルスルホ酢酸ナトリウム、モノアルキルリン酸ナトリウム、ジアルキルリン酸ナトリウム、ココイルメチルタウリン酸ナトリウム）、両性界面活性剤（例えば、コカミドプロピルベタイン、ラウロアンホ酢酸ナトリウム、コカミドプロピルヒドロキシスルタイン、ココアンホ二酢酸二ナトリウム）、起泡剤（foam booster）（例えば、コカミドＤＥＡ、コカミドＭＥＡ、コカミドＭＩＰＡラウレス−３）、脂肪アルキルアルコール（例えば、セチルアルコール、ステアリルアルコール、ベヘニルアルコール）、非イオン界面活性剤（例えば、アルキルポリグルコシドやアルキルエーテルエトキシレート）、カチオン性ポリマー（例えば、グアーヒドロキシプロピルトリモニウムクロリド、ポリクオタニウム−１０）、シリコーン（例えば、ジメチコンやジメチコノールなどのポリジメチルシロキサン）、レオロジー改質剤（例えば、カルボマー、ジステアリン酸ＰＥＧ−１５０、キサンタンガム）、合成又は天然の油又は樹脂（例えば、鉱油又は植物油）、フケ防止剤（例えば、ピロクトンオラミン、亜鉛ピリチオン、サリチル酸）、スタイリング剤（例えば、ポリイソブチレンやポリビニルピロリドン／酢酸ビニルコポリマー）、保湿剤（moisturising agent）（例えば、パンテノールやグリセロール）、非高分子コンディション調整剤（例えば、ベヘントリモニウムクロリドやステアラルコニウムクロリドなどの第四級アンモニウム化合物）、乳白剤／真珠光沢剤（例えば、スチレン／アクリレーツコポリマーやエチレングリコールジステアレート）、頭皮ケア剤、香料、着色剤、染毛剤、日焼け止め、ＵＶ防止剤、保存剤、浸透性改善剤（例えば、炭酸プロピレン、ベンジルアルコールなど）、並びに本明細書で規定するとおりの希釈剤及び担体から選択される１又は２以上の原材料を含んでもよい。
【０１４０】
本発明において使用する好ましい一部のシャンプー組成物は、０．５〜６０ｗｔ％の１又は２以上のアニオン界面活性剤（例えば、ラウレス硫酸ナトリウム、ラウロイルメチルイセチオン酸ナトリウム、ココイルイセチオン酸ナトリウム、アルファオレフィンスルホン酸ナトリウム、ラウリルスルホ酢酸ナトリウム、モノアルキルリン酸ナトリウム、ジアルキルリン酸ナトリウム）と、０〜３０ｗｔ％の両性界面活性剤（例えば、コカミドプロピルベタイン、ラウロアンホ酢酸ナトリウム、コカミドプロピルヒドロキシスルタイン）とを含む。
【０１４１】
一部の実施形態では、本発明において使用する組成物は、コンディショニング用組成物である。
【０１４２】
本発明において使用する適切なコンディショニング用組成物は、通常、０．１〜２０ｗｔ％、好ましくは０．５〜８ｗｔ％、より好ましくは１〜４ｗｔ％の１又は２以上のカチオン界面活性剤と、０．１〜２０ｗｔ％、好ましくは０．５〜８ｗｔ％、より好ましくは１〜４ｗｔ％の１又は２以上の脂肪アルキルアルコールと、任意選択で、０．１〜２０ｗｔ％、好ましくは０．５〜８ｗｔ％、より好ましくは１〜４ｗｔ％の１又は２以上の非イオン界面活性剤と、任意選択で、０．１〜２０ｗｔ％、好ましくは０．５〜８ｗｔ％、より好ましくは１〜４ｗｔ％の１又は２以上のカチオン性ポリマーとを含んでもよい。
【０１４３】
本発明において使用するコンディショニング用組成物には、洗い流すタイプ及び付けたままにするタイプのコンディショナー（「ヘアマスク」を含む）及び毛のつや又は外観を向上させる製品、着色直後又はその後のいずれかの時期に毛に適用されるように設計された、付けたままにするタイプ又は洗い流すタイプの縮れ防止トリートメントセラム及び他のトリートメント剤、並びに養毛剤が含まれる。このような組成物は、モノ及びジ脂肪アルキル第三級アミン及び第四級アンモニウム化合物（例えば、セトリモニウムクロリド、ステアルトリモニウムクロリド、ベヘントリモニウムクロリドなどのモノ及びジ脂肪アルキル第四級アンモニウム化合物）を含むカチオン界面活性剤、脂肪アルキルアルコール（例えば、セチルアルコール、ステアリルアルコール、ベヘニルアルコール）、非イオン界面活性剤（例えば、アルキルポリグルコシドやアルキルエーテルエトキシレート、例えば、セテアレス−２０）、カチオン性ポリマー（例えば、グアーヒドロキシプロピルトリモニウムクロリド、ポリクオタニウム−１０）、シリコーン（例えば、ジメチコンやジメチコノールなどのポリジメチルシロキサン）、レオロジー改質剤（例えば、ヒドロキシエチルセルロースやポリクオタニウム−３７）、保湿剤（例えば、パンテノールやグリセロール）、非高分子コンディショニング剤（例えば、ベヘントリモニウムクロリドやステアラルコニウムクロリドなどの第四級アンモニウム化合物）、頭皮ケア剤、香料、着色剤、染毛剤、日焼け止め、ＵＶ防止剤、保存剤、浸透性改善剤（例えば、炭酸プロピレン、ベンジルアルコールなど）、並びに本明細書で規定するとおりの希釈剤及び担体から選択される１又は２以上のさらなる原材料を含んでもよい。
【０１４４】
本発明において使用する好ましい一部のコンディショニング用組成物は、０．１〜２０ｗｔ％のカチオン界面活性剤（例えば、モノ及びジ脂肪アルキル第四級アンモニウム化合物、モノ及びジ脂肪アルキル第三級アミン）と、０．１〜２０ｗｔ％の脂肪アルキルアルコールと、０．１〜２０ｗｔ％の非イオン界面活性剤（例えば、セテアレス−２０）とを含む。
【０１４５】
一部の実施形態では、本発明において使用する組成物は、ヘアスタイリング用組成物である。
【０１４６】
本発明において使用する適切なヘアスタイリング用組成物は、通常、０．１〜４０ｗｔ％、好ましくは０．１〜３０ｗｔ％、より好ましくは０．５〜１０ｗｔ％の１又は２以上の整髪用ポリマーを含んでもよい。
【０１４７】
本発明において使用するヘアスタイリング用組成物（ゲル、噴射剤使用及び不使用のムース、噴射剤使用及び不使用のヘアスプレー、ヘアポマード、ヘアワックス、ヘアクリーム、ヘアブリリアンティン、及びブロードライヤー、カール用トング、ストレート用アイロン、（例えば美容院で使用されるような）熱気フードなどの加熱されたヘアスタイリング用器具と併せて使用されるように設計された組成物を含む）は、ヘアスタイリング用ポリマー（例えば、ポリビニルピロリドン、ポリビニルピロリドン／酢酸ビニルコポリマー、オクチルアクリルアミド／アクリレート／ブチルアミノエチルメタクリレートコポリマー、メチルビニルエーテル／無水マレイン酸コポリマー、ポリエチレンワックス）、レオロジー改質剤（例えば、カルボマー、アクリレーツコポリマー、ヒドロキシエチルセルロース、キサンタンガム、ポリクオタニウム−３７）、アミノメチルプロパノール、脂肪アルキルアルコール（例えば、セチルアルコール、ステアリルアルコール、ベヘニルアルコール）、エタノール、プロピルアルコール、イソプロピルアルコール、ワセリン、鉱油、オゾケライト、蜜蝋、カルナウバ蝋、シリコーン（例えば、ジメチコンやジメチコノールなどのポリジメチルシロキサン）、ポリエチレングリコール、アニオン界面活性剤（例えば、ラウレス硫酸ナトリウムやラウロイルメチルイセチオン酸ナトリウム）、両性界面活性剤（例えば、コカミドプロピルベタインやココアンホ二酢酸二ナトリウム）、非イオン界面活性剤（例えば、アルキルポリグルコシドやアルキルエーテルエトキシレート）、カチオン性ポリマー（例えば、グアーヒドロキシプロピルトリモニウムクロリド、ポリクオタニウム−１０）、シリコーン（例えば、ジメチコンやジメチコノールなどのポリジメチルシロキサン）、保湿剤（例えば、パンテノールやグリセロール）、非高分子コンディショニング剤（例えば、ベヘントリモニウムクロリドやステアラルコニウムクロリドなどの第四級アンモニウム化合物）、頭皮ケア剤、香料、着色剤、染毛剤、日焼け止め、ＵＶ防止剤、保存剤、浸透性改善剤（例えば、炭酸プロピレン、ベンジルアルコールなど）、並びに本明細書で規定するとおりの希釈剤及び担体から選択される１又は２以上の原材料を含んでもよい。
【０１４８】
本発明において使用する好ましい一部のヘアスタイリング用組成物は、０．１〜４０ｗｔ％の１又は２以上の整髪用ポリマー／樹脂（例えば、ポリビニルピロリドン、ポリビニルピロリドン／酢酸ビニルコポリマー、オクチルアクリルアミド／アクリレーツ／ブチルアミノエチルメタクリレートコポリマー、メチルビニルエーテル／無水マレイン酸コポリマー、ポリエチレンワックス）を含む。
【０１４９】
当業者なら、適正な原材料を含有する単一製品から、毛のコンディショニング、つやなど、及びヘアスタイリングの１又は２以上の属性を毛に付与することが可能であり、したがって、毛に関する利益効果のそうした組合せを備える組成物も、本発明の取扱い範囲になることを理解されよう。
【０１５０】
一部の実施形態では、組成物は、ウェーブパーマ用組成物である。
【０１５１】
本発明において使用する適切なウェーブパーマ用組成物は、通常、０．１〜２０ｗｔ％、好ましくは０．５〜１５ｗｔ％、より好ましくは３〜１２ｗｔ％の１又は２以上の還元剤を含んでもよい。
【０１５２】
本発明において使用する好ましい一部のウェーブパーマ用組成物は、０．５〜１５ｗｔ％の１又は２以上の（例えば、チオグリコール酸、チオグリコール酸アンモニウム、チオ乳酸、システアミン、システイン、グリセロールモノチオグリコレート、亜硫酸／亜硫酸水素ナトリウムのような）還元剤と、還元する成分のｐＨをｐＨ８〜１３の間に調整するのに十分な量のアルカリ化剤（例えば、アンモニア、モノエタノールアミン）とを含む。ウェーブパーマ用組成物は通常、還元剤組成物が適用され、処理を可能にされ、次いで洗い流された後に適用される、０．５〜１０ｗｔ％の１又は２以上の酸化剤（例えば、過酸化水素、臭素酸ナトリウム、過炭酸ナトリウム、過ホウ酸ナトリウム）を含む第２の組成物と共に、包装品として提供される。
【０１５３】
一部の実施形態では、本発明において使用する組成物は、縮毛矯正用組成物である。
【０１５４】
本発明において使用する縮毛矯正用組成物は、水酸化ナトリウム、水酸化リチウム、水酸化カリウム、水酸化カルシウム、及び炭酸グアニジンから選択される１又は２以上の原材料を含んでもよい。これらの成分は、０．５〜５ｗｔ％の量で存在するのが適切である。
【０１５５】
他の種類のストレートパーマ用組成物は、ホルムアルデヒド、グリコキシル酸（glycoxylic acid）、グルタルアルデヒド、及びグリオキシロイルカルボシステインから選択される１又は２以上の原材料を含んでもよい。これらの成分は、０．１〜１０ｗｔ％の量で存在するのが適切である。
【０１５６】
上で言及したウェーブパーマ用、縮毛矯正用、及びストレートパーマ用組成物は、アニオン界面活性剤（例えば、ラウレス硫酸ナトリウムやラウロイルメチルイセチオン酸ナトリウム）、両性界面活性剤（例えば、コカミドプロピルベタインやココアンホ二酢酸二ナトリウム）、第四級アンモニウム化合物（例えば、セトリモニウムクロリド、ステアルトリモニウムクロリド、ベヘントリモニウムクロリド）、脂肪アルキルアルコール（例えば、セチルアルコール、ステアリルアルコール、ベヘニルアルコール）、非イオン界面活性剤（例えば、アルキルポリグルコシドやアルキルエーテルエトキシレート）、カチオン性ポリマー（例えば、グアーヒドロキシプロピルトリモニウムクロリド、ポリクオタニウム−１０）、シリコーン（例えば、ジメチコンやジメチコノールなどのポリジメチルシロキサン）、乳白剤（例えば、スチレンアクリレーツコポリマー）、レオロジー改質剤（例えば、ヒドロキシエチルセルロースやキサンタンガム）、保湿剤（例えば、パンテノールやグリセロール）、非高分子コンディショニング剤（例えば、ベヘントリモニウムクロリドやステアラルコニウムクロリドなどの第四級アンモニウム化合物）、香料、日焼け止め、ＵＶ防止剤、着色剤、並びに本明細書で規定するとおりの希釈剤及び担体から選択される１又は２以上の追加原材料をさらに含んでもよい。
【０１５７】
一部の実施形態では、本発明において使用する組成物は、ヘアカラー用組成物である。
【０１５８】
ヘアカラー用組成物は、染料化合物を含む場合もあり、及び／又は酸化用組成物が混合された後に毛においてその場で活性染料となる染料前駆体化合物を含む場合もある。
【０１５９】
本発明において使用する酸化ヘアカラー用組成物は、１又は２以上の中間体、例えば、ｐ−フェニレンジアミン、Ｎ，Ｎ−ビス（２−ヒドロキシエチル）−ｐ−フェニレンジアミン、ｐ−トルエンジアミン、ｐ−アミノフェノール  フェニルメチルピラゾロン、ｍ−フェニレンジアミン、レゾルシノール、１−ナフトール、１−ヒドロキシエチル４，５−ジアミノピラゾール、及びｍ−アミノフェノールを含んでもよい。これらの中間体は、所望の濃淡に応じて、０．０１〜１５％の総中間体濃度において、いかなる組合せ及び比率で存在してもよい。このような組成物は通常、１又は２以上のアルカリ化剤、例えば、アンモニア、水酸化アンモニウム、水酸化ナトリウム、モノエタノールアミンをさらに含む。酸化染色用の顕色剤組成物は、酸化剤、例えば、過酸化水素、臭素酸ナトリウム、過炭酸ナトリウム、過ホウ酸ナトリウムを含む。これらは通常、０．１〜３０ｗｔ％の量で存在する。
【０１６０】
本発明において使用する直接染料色組成物は、例えば、ニトロフェニレンジアミン（例えば、４−ニトロ−ｏ−フェニレンジアミンなど）、ニトロフェノール（例えば、２−アミノ−４−ニトロフェノールなど）及びアミノアントラキノン（例えば、ディスパースレッド１１など）の部類からの１又は２以上の直接染料を含んでもよい。これらは通常、所望の濃淡に応じて、０．１〜２０ｗｔ％の量で存在する。
【０１６１】
一部の好ましい実施形態では、本発明の組成物は、ヘアカラー用組成物でない。この組成物は、染料化合物及び／又は染料前駆体化合物を０．１ｗｔ％未満、好ましくは０．０１ｗｔ％未満しか含まないことが好ましい。好ましくは、組成物は、染料化合物及び／又は染料前駆体化合物を含まない。顔料や真珠箔剤などの、組成物に色をもたらす化合物が存在してもよいが、組成物は、毛の染色に使用されうるいかなる化合物も含まないのが適切である。
【０１６２】
第１の態様の方法では、材料を、ポリカルボン酸由来のキレート剤を含む組成物と接触させる。
【０１６３】
材料、好ましくは毛は、組成物と接触させるとき、湿っていても乾いていてもよい。
【０１６４】
組成物は、材料に適用され、材料の表面全域に広げられるのが適切である。材料が毛である好ましい実施形態では、組成物は、シャンプーの要領で毛に擦り込むこともでき、及び／又は櫛で毛に行き渡らせることもできる。
【０１６５】
組成物は、材料に着いたままにすることもでき、又は材料から除去することもできる。温水を使用して洗い流すことができるのが適切である。
【０１６６】
一部の実施形態では、組成物は、材料と接触させ、全域にわたって広げ、次いで直ちに除去することができる。
【０１６７】
組成物は、好ましくは水を使用して洗い流すことにより、材料から除去することができるのが適切である。
【０１６８】
一部の実施形態では、組成物は、洗剤組成物で洗浄することにより、材料から洗浄することができる。
【０１６９】
一部の実施形態では、組成物は、例えばブラッシングによって、材料から機械的に除去することができる。
【０１７０】
一部の実施形態では、組成物は、材料に着いたままにし、材料が正規のサイクルで洗浄されるまで除去しなくてもよい。
【０１７１】
材料が毛である一部の実施形態では、組成物は、シャンプーの要領で、毛に適用し、全域にわたって広げ、毛に擦り込み、次いで水で洗い流すことができる。
【０１７２】
材料が毛である一部の実施形態では、組成物は、コンディショナーの要領で、毛に適用し、（任意選択で櫛ですきながら）毛の全域にわたって広げ、短期間毛に着いたままにし、次いで水で毛から洗い流すことができる。
【０１７３】
材料が毛である一部の実施形態では、組成物は、スタイリング用製品の要領で、毛と接触させ、毛に着いたままにすることができる。組成物は、毛の全域にスプレーする、毛の全域に擦りつける、毛の全域に櫛で広げる、又は当業者に知られている要領で、別な形で毛に広げることができる。
【０１７４】
組成物を毛に着いたままにする実施形態では、組成物は、通常の活動の間に組成物の一部がブラシで払い除けられ、又はぬぐい取られることがあるとしても、毛が次に洗浄されるまで、毛に残存するのが適切である。
【０１７５】
本発明の方法では、組成物は、周囲温度で、材料、好ましくは毛と接触させるのが適切である。一部の実施形態では、組成物は、周囲温度より高い温度で材料と接触させてもよい。
【０１７６】
一部の実施形態では、組成物を毛と接触させる場合があり、次いで、組成物を伴う毛に、加熱及び／又は細工及び／又は乾燥が施される。すなわち、組成物が適用された後、毛をヘアドライヤーを使用して乾かし、又はまっすぐにすることができる。
【０１７７】
本発明の第１及び第２の態様の方法は、毛を加熱するステップを含んでもよい。そのような加熱ステップは、一般に使用されている加熱技術、例えば、ブロー乾燥、又はトング、ストレートナー、若しくはフードなどの使用を伴う場合がある。
【０１７８】
本発明は、染色された材料、好ましくは染色された毛からの色落ちに対処する方法を提供する。色落ちに対処するとは、染色された材料からの色落ちの軽減、及び／又は染色された材料、例えば染色された毛からの色落ちの防止若しくは抑制を含むということである。
【０１７９】
色落ちを測定することのできる手段はいくつか存在する。例えば、染色後直ちに、次いで、一定期間後若しくは数回の洗浄後に、色強度を測定することができる。本発明に従って処理した材料からの色落ちは、本発明によるポリカルボン酸由来のキレート剤の使用を除いては同一の方法で染色され、引き続いて処理されている対照サンプルと比較することができる。
【０１８０】
熟練した専門家は、色調及び強度を目で見て判断することができ、すなわち、色落ちは、肉眼によって評価することができる。しかし、多くの場合では、適切な装置が使用される。そのような装置及びその操作は、当業者に知られており、例えば、クロマメーター又は比色計がある。
【０１８１】
色差を明確にする標準の方法は、ｄＥ（又はΔＥ若しくはデルタＥ）測定値を得ることである。この方法では、ＣＩＥＬＡＢ測定値に基づいて色差を算出するための式が使用される。
【０１８２】
色落ちを明らかにする適切な１つの方法は、特定の波長で光の反射率を測定することである。時間経過、洗浄、又は他の処理後の反射率の差を、対照と比較することができる。例えば、４５７ｎｍでの光の反射率を測定することができよう（Ｒ４５７）。
【０１８３】
適切な１つの方法を実施例２に記載している。
【０１８４】
本発明の方法によって、色落ちが少なくとも１０％、好ましくは少なくとも２０％、より好ましくは少なくとも３０％、例えば少なくとも４０％軽減されることが好ましい。
【０１８５】
一部の実施形態では、本発明の方法によって、色落ちが５０％を超えて、好ましくは６０％を超えて、より好ましくは７０％を超えて、例えば８０％を超えて、又は９０％を超えて軽減される場合がある。
【０１８６】
少なくとも１０％の軽減とは、本発明の方法に従って材料が処理された場合、キレート剤が含まれていない同等な方法で材料が処理された場合より、色落ちが少なくとも１０％少ないということである。例えば、シャンプー組成物の場合では、ポリカルボン酸由来のキレート剤を含むシャンプーで毛を洗浄すると、キレート剤を含有しないことを除き他の点では同一であるシャンプーでの洗浄に比べて、色落ちが１０％軽減される。
【０１８７】
実施例２の方法に従って測定したとき、本発明の方法によって、色落ちが対照に比べて少なくとも１０％、好ましくは少なくとも２０％、適切な例では少なくとも３０％軽減されるのが適切である。この点に関して、対照では色落ちが１００％となることに留意すべきである。すなわち、９０％の色落ちが観察される場合、これは、１０％の色落ちの軽減に相当する。
【０１８８】
本発明は、材料を、ポリカルボン酸由来のキレート剤を含む組成物と１回又は１回より多く接触させることを含みうる。
【０１８９】
本発明は、定期的に、例えば、毛（又は別の材料）を洗浄する毎に使用される場合がある。別法として、本発明は、より低頻度で周期的に、例えば、毎週又は毎月使用される場合もある。
【０１９０】
驚いたことに、本発明の方法によって、染色された毛からの色落ちが有意に軽減されうることが見いだされた。
【０１９１】
本発明によって、数回の洗浄後の色落ちの軽減を実現することができる。例えば、本発明が着色用組成物に関するものである実施形態では、ポリカルボン酸由来のキレート剤を、乾燥工程におけるある段階で含めると、洗浄堅牢度の向上及び／又は経時的な色あせの軽減を実現することができる。
【０１９２】
第２の態様の方法に従う毛の染色によって、洗浄堅牢度の向上が実現されることが好ましい。第２の態様の方法に従って染色された毛は、３回洗浄した後の色落ちが、ポリカルボン酸由来のキレート剤を除いている同等の方法によって染色された毛に比べて少なくとも１０％、好ましくは少なくとも３０％、より好ましくは少なくとも５０％少なくなっているのが適切である。
【０１９３】
本発明の第３の態様によれば、染色された毛からの色落ちに対処するための、ポリカルボン酸由来のキレート剤の使用が提供される。
【０１９４】
本発明の第４の態様によれば、１又は２以上の組成物を含み、１又は２以上の組成物が、少なくとも１種の染料化合物及び／又は染料前駆体化合物と、ポリカルボン酸由来のキレート剤とを合わせて含む、包装されたヘアカラー用製品が提供される。
【０１９５】
第４の態様の製品の好ましい特色は、第１、第２、及び第３の態様に関して述べたとおりであり、製品は、第２の態様の着色方法における使用に適する。
【０１９６】
一部の実施形態では、第４の態様の製品は、１又は２以上の染料前駆体化合物を含む第１の組成物と、１又は２以上の酸化剤を含む第２の酸化用組成物とを含む、毛の酸化染色のための製品である場合がある。ポリカルボン酸由来のキレート剤は、１又は２以上の染料前駆体化合物を含む組成物中、及び／又は酸化剤を含む組成物中に含まれる場合がある。しかし、好ましい実施形態では、別個の第３の組成物として提供される。この第３の組成物は、第１及び／又は第２の組成物での処理前、処理中、又は処理後に毛に適用することができる。別法として、毛と接触させる前に、第３の組成物に、第１又は第２の組成物を混合してもよい。
【０１９７】
ここで、以下の非限定的な実施例に即して、本発明をさらに明確にする。
【実施例１】
【０１９８】
羊毛スワッチを、次のとおりに形成された酸化赤色染料で染色した。
【０１９９】
【化１０】
2019536915.tif 000011
【０２００】
染色されたスワッチを、１０ｗｔ％の表１に列挙する試験キレート剤と、酢酸ナトリウム緩衝液でｐＨ５．５に緩衝処理した０．１ｗｔ％のＳＬＥＳとを含む水溶液に４０℃で３０分間浸した。３０分間の処理は、何回もの「定期的な」洗浄に等しい比較的重度の試験に相当する。
【０２０１】
布を視覚的に評価し、それを、以下のとおりの１〜５の尺度で評価した。
１  対照より有意に濃く、もとの色に近い色
２  対照より目に見えて濃い色
３  対照より目に見えるほどは濃くない色
４  対照より目に見えて濃くない色
５  対照より有意に濃くない色、又は色相変化（例えば青）、又は油で汚れた若しくはしみのついた布（理由を記録した）
【０２０２】
対照より濃いと視覚的に評価された布（スコア１又は２）については、次いで、標準の反射率測定法を使用して、色強度の実際の読みを測定し、（０．１ｗｔ％のＳＬＥＳを含有する）脱イオン水対照と比較した。１００％は、対照によって除去された染料の量であり、１００％未満の数字は、対照より染料の除去が少ないことを示し、０％は、もとの布の色である。この場合では、４５７ｎｍの波長を有する光の反射率の差を測定した。
【０２０３】
表１に、試験した化合物及び得られた結果を詳述する。
【０２０４】
【表１】
2019536915.tif 000012
【実施例２】
【０２０５】
本発明による染色物の洗浄堅牢度を、以下の方法に従って評価した。
【０２０６】
羊毛スワッチサンプルを、最初に、実施例１のとおりに処理した。次いで、それらのサンプルを、０．１％のＳＬＥＳを含む脱イオン水組成物で処理して１５分間湿らせ、すすぎ、乾燥させた。４５７ｎｍでの反射率（Ｒ４５７）を測定した。０．１％のＳＬＥＳを含む脱イオン水での洗浄ステップをさらに２回、１５分間ずつ実施した。
【０２０７】
表２にある結果は、ΔＲ４５７の絶対値であり、ΔＲ４５７は、最初に染色した羊毛スワッチと表で詳述するとおりに処理されているスワッチの、４５７ｎｍでの反射率の差である。
【０２０８】
【表２】
2019536915.tif 000013
【０２０９】
表２における結果は、染料のその後の浸出を対照に比べて軽減することに関して、本発明が利益をもたらすことをはっきりと示している。
【実施例３】
【０２１０】
キレート剤での何回もの処理の効果については、羊毛スワッチを、実施例１に概ね記載するとおりにキレート剤と３０分間又は１５分間繰り返し接触させることにより実施した。各処理の後、次いで、スワッチを２分間水洗いし、次いで乾燥させた。
【０２１１】
表３にある結果は、ΔＲ４５７の絶対値であり、ΔＲ４５７は、最初に染色した羊毛スワッチと表で詳述するとおりに処理されているスワッチの、４５７ｎｍでの反射率の差である。
【０２１２】
【表３】
2019536915.tif 000014
【実施例４】
【０２１３】
ＧＬＤＡを含むシャンプー組成物を使用して洗浄堅牢性を得る研究を、以下の方法に従って実施した。
【０２１４】
ＧＬＤＡの５ｗｔ％溶液又は脱イオン水対照、及び１０％の基本シャンプー処方（水中に１２．５ｗｔ％のＳＬＥＳ、２．５ｗｔ％のＣＡＰＢ）を使用して、羊毛スワッチサンプルを実施例２のとおりに処理した。表４にある結果は、ΔＲ４５７の絶対値であり、ΔＲ４５７は、最初に染色した羊毛スワッチと発明組成物又は対照で処理されているスワッチの、４５７ｎｍでの反射率の差である。
【０２１５】
【表４】
2019536915.tif 000015
【国際調査報告】
2019536915.tif 000016
2019536915.tif 000017
2019536915.tif 000018
2019536915.tif 000019